(57)【特許請求の範囲】
【請求項１】
柔らかい水解紙や水溶性フィルム紙を主体として、２枚から４又は５枚重ねて貼り合わせているところを特徴とし、水に濡れて１分３０秒から２分前後で溶解が始まる、水洗便所に流して廃棄可能な水溶解紙で出来ており、
一番外側の水溶解紙は内側の数枚の水溶解紙より強度と形状を保つ為に、少し厚い水溶解紙を利用しているところを特徴とし、水に濡れて２分前後位から溶解が始まる水溶解紙で出来ており、
長さは５０ｃｍから６０ｃｍであり、陰茎挿入口は斜めに切断しており、それにより小便する際に陰茎を挿しこみやすくなっており、またその尖った方を握手部分としている、男性専用トイレットペーパー。
【請求項２】
握手部分は、小便が終わった後、柔らかくて傷つきやすい陰頭部を拭く為に、握手部分から下に向かって１５ｃｍ位が、２枚から４又は５枚が重ねて貼り合わせていないというところを特徴としている請求項１記載の男性専用トイレットペーパー。
【請求項３】
上部の陰頭部を差し込む口径円周は１２ｃｍから１４ｃｍ位で、下部円周は６ｃｍ程で、使用時は三角錐形の筒状にして使用するところを特徴とし、未使用の保管時は、折りつぶし重ねた状態で収納できる請求項２記載の男性専用トイレットペーパー。
【請求項４】
上部の斜めに切断した尖った部分を握手とし、折りつぶされて重なり合っている、この男性専用トイレットペーパーを使用する際に安易に筒状にする為に、４枚から８又は１０枚が重ねて折りつぶされている片方の半数枚部分２枚から４又は５枚を、１ｃｍから２ｃｍ程ずらして、低く切り込んでいるところを特徴としており、
これにより陰茎を入れる筒穴が楽に簡単に開くようになっている請求項３記載の男性専用トイレットペーパー。
【発明の詳細な説明】
【技術分野】
【０００１】本発明は男性が小便をする時に使用する男性専用のトイレットペーパーに関する。
【背景技術】
【０００２】大半の男性は小便が終わった後、陰茎を数回ふるうなどして残尿滴を切って陰頭を下着内に収めております。最近では家族に強いられ、便座に座って小便をし、終わった直後トイレットペーパーを数枚折りたたんで陰頭に付着している尿滴を拭き取る人も増えていますが、元来、立ち小便として簡単に立って出来るところを、ベルトをはずし大便をする状態で小便をするという事は、男性にとってなかなか厳しいものがあり、そういう事などからこの男性の小便時のトイレットペーパーに関する技術は、色々知られております。
【先行技術文献】
【０００３】例えば実開平０７−０３３１９３号公報、また登録実用新案  第３１１８３１５号などがあり、特に当考案に一番近いと思われる登録実用新案  第３０７５５４４号は、小便が終わった後、陰頭を拭き取る際に尿滴がにじみ、手に付着するおそれがあるのではないか。また、陰頭を楽に差し込みにくいなどがある。と思われる。
特許公開２００６−３１２００１号は、陰頭を差し込む凹状は、当案と同じ形態ですが、拭き取る際に数枚のびらん状で柔らかい水解溶紙で、包むようにして拭き取るところの違いと、当考案の男性専用トイレットペーパーは、尿水が筒状を伝わって便器内まで流れ込むため、周囲に飛散せず、完全に便器内に流入されるようになっております。
【発明の概要】
【０００４】男性が立ち小便する際に陰部から放尿された小水が、ズボンや便器又は床どこなどに飛び散る事を防ぐための考案で、水に濡れて数分後に溶解が始まる水溶解紙など数枚重なった紙を筒状にし、上部の陰頭部を差し込む方側を大きく広くし、下部の便器内に入れる方に向かう程、徐々に細くしており、小便する際は上部の大きく斜めに切断した方に陰頭を差し込んで小便をする事により、小水は筒の中を伝わり、どこにも飛散することなく便器に流れ込み、小便が終わった直後に陰頭を差し込んでいる数枚びらん状に重なりあった上部の握手を兼ねている部分で、陰頭に付着している小水滴を拭き取り、そのまま便器内に放流し捨てる事により、小水がどこにも飛散、付着する事が無い、衛生的な男性専用トイレットペーパー。
【発明が解決しようとする課題】
【０００５】大半の男性は、小便が終わった後、局部に付着している滴を自分の物であるが故に、無造作に陰頭に付着しているであろう滴を、適度に数回ふるう等して残尿滴を切って、下着内に収めております。
ズボン、パンツトランクスを履いたまま、又は夜中はパジャマなどを履いたままで用を足しておりますので本人には分からない、気付かない方が多いように思われますが、実際ズボンを脱いで、パンツで放尿するとよく分かるのですが、便器に放尿した小水は、太もも、股やすねや足元に跳ね返っている事が多く、男性の服のみに飛び散るだけだといいのですが、放尿中の小水の勢いによる撥ね帰りが、便器全般、又は、床どこにも飛び散っております。
最近では男性の身長が伸びて特に足が長くなり、便器と陰部の距離が離れ、飛散率が高くなっております。
高齢化時代に入り年配者は、若い頃と違って何事に付けても小さな失敗が多くなり特にこの男性特有の立ち小便に関しては、お父さん、お爺ちゃんに、トイレをする時は注意するように言って下さいよ。とか、小さい子供の居る家庭では、祖父が用を足した後に気遣いをしなければならない。または、当の本人、御主人がトイレ場を汚す最大の犯人である場合もあります。
掃除をする方、特に女性、又は奥様達、トイレの掃除はそういうものだと慣れさせられて、不平不満を言わずにせっせとトイレを掃除しているようですが、
この男性専用トイレットペーパーを使う事により、小便する側の男性本人も、手を汚すことなく、少しはズレたとしても確実に便器内に放尿され、しかも尿滴がズボンやパンツに付着せず清潔で、男性の側も快適になります。
いちばん何よりも、家庭不和の原因解消にも役立ち、床どこ等にも飛散する事はなくなります。掃除する立場にある方々には大変喜ばれ、衛生上にも良い男性専用トイレットペーパーです。
【課題を解決するための手段】
【０００６】この男性専用トイレットペーパーは、水に濡れて１分３０秒から２分前後で溶解が始まる柔らかい水溶解紙で出来ており、長さは５０ｃｍから６０ｃｍ位、使用時は筒状にして使用します。上部の筒状の大きい方に陰頭を入れ、下部の小さい方を便器内に入れて排尿します。この下部の小さい筒状の細くなっている方は、折り潰されているので、個人個人の尿量にもよりますが、上部を開き陰頭を差し込んだ状態では、下半分程が筒状にはなりません。しかしもともと筒状になっているので、尿はその筒状を伝わって便器内に完全に放流されます。全くどこにも飛散する事はありません。排尿が終わった直後、陰頭に付着している残尿滴を回りの柔らかい数枚重なっているこのトイレットペーパーの握手部分で拭き取りそのまま便器内に放流できる、衛生上に大変良い、男性専用トイレットペーパーです。
【発明の効果】
【０００７】この男性専用トイレットペーパーを使う事により、小便する側の男性本人も、手を汚すことなく、便器内までと届いた男性専用トイレットペーパーであるので、確実に便器内に放尿され、しかも尿滴がズボンやパンツに付着せず清潔であり、男性の側も快適になります。
いちばんは何よりも、床どこ等にも飛散する事はなくなります。家庭不和の原因解消にも役立ち、掃除する立場にある方々には大変喜ばれ、トイレ独特のアンモニア臭などイヤな臭いもなくなり、衛生上にも良い男性専用トイレットペーパーです。
【図面の簡単な説明】
【０００８】
【図１】  本発明の使用形態を示す男性専用トイレットペーパーの図面
【図２】  使用する前の［図３］の収納箱から取り出し、折り潰されている１枚の状態になっている図面
【図３】  収納箱とその中に収納されている状態図
【要約】
【課題】男性が立ち小便をする際に、小水がズボンや便器や床どこ等に飛散し、また、陰頭に付着している残尿水により下着などを汚す場合があります。
【解決手段】柔らかい水溶解紙と水溶性フィルム紙などを、２枚から４又は５枚重ね張り合わせ、水に濡れて１分３０秒から２分前後で溶解が始まる水溶解紙で、
（図１）三角錐形の筒状にして使用します。（図１−１）上部を握手とし、その上部の筒状の大きい方に陰頭を入れ、下部の小さい筒状の細くなっている小さい方側を便器内に入れて小便する。握手部分は上から下に向かって１５ｃｍ位までは２から４又は５枚部分が貼り合わさっておらず、小便が終わった直後に、この貼り合わせていない半びらん状の形状をした柔らかい握手部分で手に付着することなく残尿水を拭き取り、そのまま水洗便器に放流できる、衛生上大変良い、男性専用トイレットペーパーです。
【選択図】図１【図１】
0005224307.tif 000002
【図２】
0005224307.tif 000003
【図３】
0005224307.tif 000004